(57)【特許請求の範囲】
【請求項１】
第１及び第２の装置のうち、運用系の装置が対向装置と主信号通信を実行すると共に、上記第１及び第２の装置がそれぞれ並行して定期的に上記対向装置との障害監視通信を行う、冗長構成を採用している通信装置において、
上記第１の装置の物理ＭＡＣアドレスを保持し、ＩＰアドレスを用いずにこの物理ＭＡＣアドレスだけを用いて上記対向装置との障害監視通信を定期的に行う上記第１の装置に設けられた第１の障害監視通信部と、
上記第２の装置の物理ＭＡＣアドレスを保持し、ＩＰアドレスを用いずにこの物理ＭＡＣアドレスだけを用いて上記対向装置との障害監視通信を定期的に行う上記第２の装置に設けられた第２の障害監視通信部と、
上記第１及び第２の装置のうち、運用系の装置に対して、上記第１及び第２の装置の物理ＭＡＣアドレスとは異なる論理ＭＡＣアドレスとＩＰアドレスとを、主信号通信に用いるように設定する主信号通信アドレス設定部と、
上記第１及び第２の障害監視通信部のうち、その時点の運用系装置に対応する障害監視通信部が障害発生を検出したことを条件に、上記第１及び第２の装置に系の切替えを指示する系切替指示部と
を有することを特徴とする通信装置。
【請求項２】
上記対向装置が、上記第１の装置に対応する第１の対向装置と、上記第２の装置に対応する第２の対向装置とに分かれていることを特徴とする請求項１に記載の通信装置。
【請求項３】
第１及び第２の装置のうち、運用系の装置に障害が発生したときに上記第１及び第２の装置の系を切り替える系切替方法において、
上記第１の装置に設けられた第１の障害監視通信部は、上記第１の装置の物理ＭＡＣアドレスを保持し、ＩＰアドレスを用いずにこの物理ＭＡＣアドレスだけを用いて上記対向装置との障害監視通信を定期的に行い、
上記第２の装置に設けられた第２の障害監視通信部は、上記第２の装置の物理ＭＡＣアドレスを保持し、ＩＰアドレスを用いずにこの物理ＭＡＣアドレスだけを用いて上記対向装置との障害監視通信を定期的に行い、
系切替指示部は、上記第１及び第２の障害監視通信部のうち、その時点の運用系装置に対応する障害監視通信部が障害発生を検出したことを条件に、上記第１及び第２の装置に系の切替えを指示し、
主信号通信アドレス設定部は、上記第１及び第２の装置のうち、新運用系になった装置に対して、上記第１及び第２の装置の物理ＭＡＣアドレスとは異なる論理ＭＡＣアドレスとＩＰアドレスとを、主信号通信に用いるように設定し、
上記第１及び第２の装置のうち新運用系になった装置は、上記論理ＭＡＣアドレスと上記ＩＰアドレスを用いて、上記対向装置経由で主信号通信を行う
ことを特徴とする系切替方法。
【発明の詳細な説明】
【技術分野】
【０００１】
本発明は通信装置及び系切替方法に関し、例えば、セッションボーダーコントローラ（ＳＢＣ）における事業者間のＲＴＰ／ＲＴＣＰパケットの転送処理を制御する冗長構成のメディア制御装置に対する系の切替えに適用し得るものである。
【背景技術】
【０００２】
一般に、冗長構成を採用している従来装置は、障害等による装置の停止を避けるため、通常時に稼動している運用系と、運用系が停止しても継続して処理を行うための待機系で構成されている。
【０００３】
特許文献１では、冗長構成を採用している装置におけるアドレスの設定方式を開示している。特許文献１の記載技術は、運用系装置固有のＭＡＣアドレス及びＩＰアドレスを冗長構成の両系装置に共通の通信用アドレスとして設定し、運用系装置の障害により系が切り替わっても外部との通信を継続するものである。運用系装置及び待機系装置は、通信用アドレスのほか、障害の有無を定期的に確認したり、障害から復旧したときに正しく動作するかを診断したりするための診断・点検用のＭＡＣアドレス及びＩＰアドレスを保持している。運用系装置がその障害により待機系装置に切替えられる場合に、今までの運用系装置（旧運用系装置）の通信用のＭＡＣアドレス及びＩＰアドレスを待機系装置（新運用系装置）に設定することで、外部に運用系装置の切替えを意識させずに通信を行うことが可能である。また、障害から復旧した装置（旧運用系装置）は、診断・点検用のＭＡＣアドレス及びＩＰアドレスを設定してネットワークに接続して正常性を確認することができ、この際、新運用系装置が通信で用いているＭＡＣアドレス及びＩＰアドレスと重複することなくネットワークに接続することができる。
【先行技術文献】
【特許文献】
【０００４】
【特許文献１】特開平１０−１３５９９３
【発明の概要】
【発明が解決しようとする課題】
【０００５】
しかしながら、特許文献１の記載技術では、障害から復旧した装置の診断・点検作業を診断・点検用のＭＡＣアドレス及びＩＰアドレスにて行うが、冗長構成の両系装置が障害となった場合、両系装置とも、同じ診断・点検用のＭＡＣアドレス及びＩＰアドレスを設定することになり、この場合には、異なる装置が同じアドレスを用いて通信するため正しい診断や点検を行うことができない。また、新運用系装置が障害発生を監視する際に適用する診断・点検用のＭＡＣアドレス及びＩＰアドレスと、旧運用系装置が障害から復旧した際の確認作業で用いる診断・点検用のＭＡＣアドレス及びＩＰアドレスとが同じであっても、異なる装置が同じアドレスを用いて通信するため正しい診断・点検や確認を行うことができない。このような不都合を回避しようとすると、両系装置が、異なる診断・点検用のＭＡＣアドレス及びＩＰアドレスを複数保持しておき、使い分ける必要がある。しかし、通信頻度が極めて低い診断・点検作業や復旧確認のために、枯渇問題も言及されているＩＰアドレスを複数保持しておくことは問題があり、また、本来、装置毎に割り当てられるＭＡＣアドレスを複数保持することは実際上できない。
【０００６】
また、冗長構成を採用している装置の外部装置も冗長構成を採用している場合がある。このような外部装置も冗長構成を採用している場合に、特許文献１の記載技術を適用したときには、運用系が切り替わっても通信が可能となるまでに時間がかかってしまうという課題が生じる。冗長構成を採用している装置内では、運用系装置固有のＭＡＣアドレスとＩＰアドレスを共通の通信用アドレスとしているため、外部装置も、冗長構成を採用している装置に関し、上述の共通の通信用アドレスを保持する。従って、冗長構成を採用している装置の系が切り替わった場合、当該装置内では新運用系装置に共通の通信用アドレスを設定するが、外部装置は情報の書き換えが行われない限り、共通の通信用アドレスは旧運用系装置のアドレスと記憶した状態を継続する。すなわち、外部装置の情報が更新されなければ、新運用系装置は通信を行うことができない。仮に、診断・点検用のアドレスを利用した通信によって外部装置の情報を書き換えて新運用系装置は通信を行うことができるようになったとしても、その時点は、障害発生時点からかなりの時間が経過した時点である。
【０００７】
そのため、障害監視や復旧確認などに用いるアドレスの選定が不都合を引き起こすことがない、障害発生時の継続通信を保証できる通信装置及び系切替方法が望まれている。
【課題を解決するための手段】
【０００８】
第１の本発明は、第１及び第２の装置のうち、運用系の装置が対向装置と主信号通信を実行すると共に、上記第１及び第２の装置がそれぞれ並行して定期的に上記対向装置との障害監視通信を行う、冗長構成を採用している通信装置において、（１）上記第１の装置の物理ＭＡＣアドレスを保持し、ＩＰアドレスを用いずにこの物理ＭＡＣアドレスだけを用いて上記対向装置との障害監視通信を行う上記第１の装置に設けられた第１の障害監視通信部と、（２）上記第２の装置の物理ＭＡＣアドレスを保持し、ＩＰアドレスを用いずにこの物理ＭＡＣアドレスだけを用いて上記対向装置との障害監視通信を行う上記第２の装置に設けられた第２の障害監視通信部と、（３）上記第１及び第２の装置のうち、運用系の装置に対して、上記第１及び第２の装置の物理ＭＡＣアドレスとは異なる論理ＭＡＣアドレスとＩＰアドレスとを、主信号通信に用いるように設定する主信号通信アドレス設定部と、（４）上記第１及び第２の障害監視通信部のうち、その時点の運用系装置に対応する障害監視通信部が障害発生を検出したことを条件に、上記第１及び第２の装置に系の切替えを指示する系切替指示部とを有することを特徴とする。
【０００９】
第２の本発明は、第１及び第２の装置のうち、運用系の装置に障害が発生したときに上記第１及び第２の装置の系を切り替える系切替方法において、（１）上記第１の装置に設けられた第１の障害監視通信部は、上記第１の装置の物理ＭＡＣアドレスを保持し、ＩＰアドレスを用いずにこの物理ＭＡＣアドレスだけを用いて上記対向装置との障害監視通信を定期的に行い、（２）上記第２の装置に設けられた第２の障害監視通信部は、上記第２の装置の物理ＭＡＣアドレスを保持し、ＩＰアドレスを用いずにこの物理ＭＡＣアドレスだけを用いて上記対向装置との障害監視通信を定期的に行い、（３）系切替指示部は、上記第１及び第２の障害監視通信部のうち、その時点の運用系装置に対応する障害監視通信部が障害発生を検出したことを条件に、上記第１及び第２の装置に系の切替えを指示し、（４）主信号通信アドレス設定部は、上記第１及び第２の装置のうち、新運用系になった装置に対して、上記第１及び第２の装置の物理ＭＡＣアドレスとは異なる論理ＭＡＣアドレスとＩＰアドレスとを、主信号通信に用いるように設定し、（５）上記第１及び第２の装置のうち新運用系になった装置は、上記論理ＭＡＣアドレスと上記ＩＰアドレスを用いて、上記対向装置経由で主信号通信を行うことを特徴とする。
【発明の効果】
【００１０】
本発明によれば、アドレス選定が不都合を引き起こさずに、障害発生時の継続通信を保証できる通信装置及び系切替方法を実現できる。
【図面の簡単な説明】
【００１１】
【図１】第１の実施形態に係るセッションボーダーコントローラの内部の特徴構成を示すブロック図である。
【図２】第１の実施形態における運用系のメディア制御装置が切り替えられる前後の動作の流れを示すフローチャートである。
【図３】図１に示す冗長構成の状態から系の切替えを実行した後の状態を示すブロック図である。
【図４】第２の実施形態に係るセッションボーダーコントローラの内部特徴構成を、対向装置との接続構成と共に示すブロック図である。
【図５】図４に示す冗長構成の状態から系の切替えを実行した後の状態を示すブロック図である。
【発明を実施するための形態】
【００１２】
（Ａ）第１の実施形態
以下、本発明による通信装置及び系切替方法を、セッションボーダーコントローラに適用した第１の実施形態を、図面を参照しながら説明する。
【００１３】
（Ａ−１）第１の実施形態の構成
図１は、第１の実施形態に係るセッションボーダーコントローラの内部の特徴構成を示すブロック図である。
【００１４】
図１において、第１の実施形態に係るセッションボーダーコントローラ１は、第１及び第２のメディア制御装置２−１及び２−２と、運用系装置管理部３Ａと、待機系装置管理部３Ｓとを備えている。セッションボーダーコントローラ１は、対向装置４と接続されている。
【００１５】
セッションボーダーコントローラ１は、ＶｏＩＰサービスの境界線の制御を行うものであって、音声や画像などのメディアの転送制御機能だけでなく、ＤｏＳ攻撃対策などのセキュリティ機能、ＳＩＰ信号の振り分け機能など、多種の機能の実行構成を備えているが、図１では、そのうちの第１及び第２のメディア制御装置２−１及び２−２と、運用系装置管理部３Ａと、待機系装置管理部３Ｓとを示している。
【００１６】
第１及び第２のメディア制御装置２−１及び２−２は冗長系を構成しており、図１では、第１のメディア制御装置２−１が運用系で、第２のメディア制御装置２−２が待機系の状態を示している。各メディア制御装置２−１、２−２はそれぞれ、自系が運用系のときに、メディアが挿入されているパケット（例えば、ＲＴＰ／ＲＴＣＰパケット）の事業者間などでの転送処理（主信号通信）を制御して実行させるものである。第１の実施形態の場合、各メディア制御装置２−１、２−２はそれぞれ、運用系装置管理部３Ａによる指示を受けて、障害発生の監視や、障害復旧の確認のための通信も実行するものである。
【００１７】
待機系となっている第２のメディア制御装置２−２は、定期的に、運用系となっている第１のメディア制御装置２−１から所定のデータを取込むデータ同期を実行するものである。待機系となっている第２のメディア制御装置２−２は、対向装置４との間の障害が復旧した際には、その旨を運用系装置管理部３Ａに通知するものである。
【００１８】
２つの装置管理部も冗長系を構成しており、図１では、現時点で運用系となっている装置管理部を「運用系装置管理部」と記載し、現時点で待機系となっている装置管理部を「待機系装置管理部」と記載している。なお、２つのメディア制御装置２−１及び２−２の系切替えと、２つの装置管理部３Ａ及び３Ｂの系切替えとは独立して実行されるものである。
【００１９】
運用系装置管理部３Ａは、第１及び第２のメディア制御装置２−１及び２−２に対し、冗長系としての切替や制御を行うものである。また、運用系装置管理部３Ａは、例えば、運用系となっている第１のメディア制御装置２−１や、待機系となっている第２のメディア制御装置２−２に対して障害検出のための通信を定期的に起動したりする。さらに、運用系装置管理部３Ａは、旧運用系（現待機系）の第２のメディア制御装置２−２と対向装置４との間の障害が復旧した際には、その第２のメディア制御装置２−２からその旨が通知され、その第２のメディア制御装置２−２による復旧確認の通信を起動したりする。
【００２０】
待機系装置管理部３Ｓは、定期的に、運用系装置管理部３Ａから所定のデータを取込むデータ同期を実行するものである。待機系装置管理部３Ｓは、自己を待機系に切り替えた際の障害が復旧した際には、その旨を運用系装置管理部３Ａに通知するものである。
【００２１】
対向装置４は、例えば、回線やパケットの交換機能を持ったスイッチ（ＳＷ）である。この第１の実施形態の場合、対向装置４は、第１及び第２のメディア制御装置２−１及び２−２と同一ネットワークに属する装置であり、第１又は第２のメディア制御装置２−１又は２−２と対向装置４とは、ＩＰアドレスを含まずＭＡＣアドレスだけを送信元及び宛先に含むネットワーク内パケット（例えば、Ｅｔｈｅｒｎｅｔ（登録商標）パケット）を授受することもできる。
【００２２】
この第１の実施形態の場合、第１及び第２のメディア制御装置２−１及び２−２のいずれが運用系であっても、対向装置４を経由して、宛先端末側と主信号の通信に係るパケットを授受する際には、ＩＰアドレスＩＰ０及び論理ＭＡＣアドレスＭＡＣ０を用いるように定められている。例えば、運用系のメディア制御装置２−１又は２−２は、物理ＭＡＣアドレスＭＡＣ１又はＭＡＣ２を用いることで対向装置４との導通を確認し、論理ＭＡＣアドレスＭＡＣ０及びＩＰアドレスＩＰ０を用いることによって対向装置４経由の主信号通信を行う。一方、第１のメディア制御装置２−１は、対向装置４との間で、冗長構成の切替や制御に係るパケットを授受する際には、物理ＭＡＣアドレスＭＡＣ１を用いるように定められており、第２のメディア制御装置２−２は、対向装置４との間で、冗長構成の切替や制御に係るパケットを授受する際には、物理ＭＡＣアドレスＭＡＣ２を用いるように定められている。
【００２３】
なお、図１では省略しているが、第１及び第２のメディア制御装置２−１及び２−２はそれぞれ、対向装置４とネットワーク内パケットを授受できるように、対向装置４についての物理ＭＡＣアドレスを保持している。
【００２４】
（Ａ−２）第１の実施形態の動作
次に、第１の実施形態のセッションボーダーコントローラ１における冗長構成のメディア制御装置の動作を説明する。以下では、図１に示す第１のメディア制御装置２−１が運用系で第２のメディア制御装置２−２が待機系にあるときから動作を説明する。
【００２５】
図２は、運用系のメディア制御装置が切り替えられる前後の動作の流れを示すフローチャートであり、主信号の通信動作は、図２では省略している。なお、運用系となっている第１のメディア制御装置２−１は、対向装置４との間で、論理ＭＡＣアドレスＭＡＣ０及びＩＰアドレスＩＰ０を用いて主信号通信を適宜行っている。
【００２６】
運用系となっている第１のメディア制御装置２−１は、運用系装置管理部３Ａの制御下で、定期的に障害発生を監視する（ステップ１００）。障害監視方法は、例えば、物理ＭＡＣアドレスＭＡＣ１を送信元アドレスとして含む、対向装置４に対してメッセージを要求するパケットを対向装置４に送出し、その要求パケットに応じたメッセージを含むパケットが、上述した送出時点から所定時間以内に返信されるか否かによって、正常か障害発生かを判断する方法である。
【００２７】
なお、待機系となっている第２のメディア制御装置２−２も、運用系装置管理部３Ａの制御下で、物理ＭＡＣアドレスＭＡＣ２を利用して、定期的に障害発生を監視する。
【００２８】
運用系の第１のメディア制御装置２−１は、対向装置４からメッセージ要求に対する応答パケットが返信（到達）されない場合には、対向装置４に、又は、対向装置４との通信回線などに障害が発生したと判断し、運用系装置管理部３Ａに障害が発生したことを通知する（ステップ１０１）。
【００２９】
このとき、運用系装置管理部３Ａは、待機系となっている第２のメディア制御装置２−２の現在の状態を取込んで判別する（ステップ１０２）。待機系となっている第２のメディア制御装置２−２についても障害が発生していると、運用系装置管理部３Ａは、当該セッションボーダーコントローラ１に設けられているディスプレイやランプやブザーなどによって両系障害を報知したり、図示しないセンタ装置に対して両系障害を通知したりする（ステップ１０３）。
【００３０】
これに対して、待機系の第２のメディア制御装置２−２に障害が発生していないと、運用系装置管理部３Ａは、運用系及び待機系間の系の切替えを実行する（ステップ１０４）。運用系装置管理部３Ａは、系切替え時には以下のような処理を行う。
【００３１】
運用系装置管理部３Ａは、例えば、今まで待機系であった第２のメディア制御装置２−２と対向装置４との導通を物理ＭＡＣアドレスＭＡＣ２を用いて確認した後、今まで運用系であった第１のメディア制御装置２−１に対し、主信号通信で利用する論理ＭＡＣアドレスＭＡＣ０及びＩＰアドレスＩＰ０の設定を解除すると共に、今まで待機系であった第２のメディア制御装置２−２に対し、主信号通信で利用する論理ＭＡＣアドレスＭＡＣ０及びＩＰアドレスＩＰ０を設定し、第２のメディア制御装置２−２に運用系として主信号通信を実行させるようにする。また、運用系装置管理部３Ａは、待機系装置管理部３Ｓに対して系を切り替えて、第２のメディア制御装置２−２が運用系、第１のメディア制御装置２−１が待機系になった旨を通知すると共に、当該セッションボーダーコントローラ１に設けられているディスプレイやランプやブザーなどによって系切替えを報知したり、図示しないセンタ装置に対して系切替えを通知したりする。
【００３２】
図３は、以上のような系の切替えを実施した後の状態を示しており、第１のメディア制御装置２−１が待機系、第２のメディア制御装置２−２が運用系に切り替わり、主信号通信は第２のメディア制御装置２−２で行っている様子を示している。
【００３３】
第１のメディア制御装置２−１についての障害発生の報知などに応じて、保守点検作業者は、対向装置４内部、若しくは、対向装置４と第１のメディア制御装置２−１との接続線などの障害箇所に対して復旧作業を実施し、復旧したときには、第１のメディア制御装置２−１について障害が復旧した旨が第１のメディア制御装置２−１から運用系装置管理部３Ａに通知される（ステップ１０５）。このとき、運用系装置管理部３Ａは、その時点で待機系となっている第１のメディア制御装置２−１に対して復旧確認の通信を起動し、第１のメディア制御装置２−１は、自己の物理ＭＡＣアドレスＭＡＣ１を用いて、対向装置４との間で復旧確認の通信を実行する（ステップ１０６）。
【００３４】
図２では省略しているが、系が切り替わったことにより運用系となった第２のメディア制御装置２−２も、待機系となり復旧確認が終了した第１のメディア制御装置２−１も、運用系装置管理部３Ａの制御下で、保持している自己の物理ＭＡＣアドレスＭＡＣ２、ＭＡＣ１を用いて、対向装置４との間で障害監視のためのパケットの授受を実行する。
【００３５】
（Ａ−３）第１の実施形態の効果
以上のように、第１の実施形態によれば、各メディア制御装置２−１、２−２はそれぞれ、自己の物理ＭＡＣアドレスＭＡＣ１、ＭＡＣ２を用いて、対向装置４との間で障害監視や復旧確認のためのパケット授受を行うと共に、両メディア制御装置２−１及び２−２に共通な論理ＭＡＣアドレスＭＡＣ０及びＩＰアドレスＩＰ０により、運用系のメディア制御装置２−１又は２−２が主信号通信を行うようにしたので、外部の対向装置４からはメディア制御装置の系切替えを意識することなく、しかも、系切替えを行った場合に切断が生じることなく主信号通信を行うことができる。
【００３６】
（Ｂ）第２の実施形態
次に、本発明による通信装置及び系切替方法を、セッションボーダーコントローラに適用した第２の実施形態を、図面を参照しながら説明する。
【００３７】
第１の実施形態では、冗長構成を採用しているメディア制御装置の対向装置が１つであったが、この第２の実施形態では、冗長構成を採用しているメディア制御装置に対する対向装置も冗長構成を採用しているものである。
【００３８】
（Ｂ−２）第２の実施形態の構成
図４は、第２の実施形態に係るセッションボーダーコントローラの内部特徴構成を、対向装置との接続構成と共に示すブロック図であり、第１の実施形態に係る図１との同一、対応部分には同一、対応符号を付して示している。図４では、第１のメディア制御装置２−１が運用系で、第２のメディア制御装置２−２が待機系の状態を示している。
【００３９】
図４において、第２の実施形態に係るセッションボーダーコントローラ１Ｘは、第１の実施形態と同様に、第１及び第２のメディア制御装置２−１及び２−２と、運用系装置管理部３Ａと、待機系装置管理部３Ｓとを備えている。
【００４０】
ここで、冗長構成を採用している第１及び第２の対向装置４−１及び４−２が配置されており、第１のメディア制御装置２−１は第１の対向装置４−１と接続され、第２のメディア制御装置２−２は第２の対向装置４−２と接続されている。この第２の実施形態では、第１のメディア制御装置２−１が運用系であれば第１の対向装置４−１が運用系、第２のメディア制御装置２−２が待機系であれば第２の対向装置４−２が待機系になり、第２のメディア制御装置２−２が運用系であれば第２の対向装置４−２が運用系、第１のメディア制御装置２−１が待機系であれば第１の対向装置４−１が待機系になるようになされている。第１のメディア制御装置２−１は、第１の対向装置４−１とネットワーク内パケットを授受するために、第１の対向装置４−１の物理ＭＡＣアドレスＭＡＣ１１を保持しており、同様に、第２のメディア制御装置２−２は、第２の対向装置４−２とネットワーク内パケットを授受するために、第２の対向装置４−２の物理ＭＡＣアドレスＭＡＣ１２を保持している。
【００４１】
なお、第１及び第２の対向装置４−１及び４−２は互いに接続されており、運用系の切替え時に主信号通信を引き継ぐに必要なデータを定期的に授受できるようになっている。
【００４２】
（Ｂ−２）第２の実施形態の動作
次に、第２の実施形態のセッションボーダーコントローラ１Ｘにおける冗長構成のメディア制御装置の動作を簡単に説明する。以下では、図４に示す第１のメディア制御装置２−１が運用系で第２のメディア制御装置２−２が待機系にあるときから動作を説明する。
【００４３】
運用系の第１のメディア制御装置２−１は、論理ＭＡＣアドレスＭＡＣ０及びＩＰアドレスＩＰ０を用いて、第１の対向装置４−１を経由して主信号通信を行う。
【００４４】
運用系の第１のメディア制御装置２−１は、定期的に、自己の物理ＭＡＣアドレスＭＡＣ１を用いたネットワーク内パケットによって、第１の対向装置４−１にメッセージの要求を行い、応答の有無で、第１の対向装置４−１に障害が発生しているか否かを判断する。同様に、待機系の第２のメディア制御装置２−２も、定期的に、自己の物理ＭＡＣアドレスＭＡＣ２を用いたネットワーク内パケットによって、第２の対向装置４−２にメッセージの要求を行い、応答の有無で、第２の対向装置４−２に障害が発生しているか否かを判断する。
【００４５】
第１の対向装置４−１からメッセージの応答がなかった場合、運用系の第１のメディア制御装置２−１は、第１の対向装置４−１側に障害が発生したと判断し、運用系装置管理部３−１に障害が発生したことを通知する。
【００４６】
運用系装置管理部３Ａは、障害発生の通知を受け、第１及び第２のメディア制御装置２−１及び２−２に系の切替えを指示し、第１及び第２のメディア制御装置２−１及び２−２は運用系及び待機系を切り替える。図５は、このような系の切替えが実行された後の状態を示している。新運用系になった第２のメディア制御装置２−２は、論理ＭＡＣアドレスＭＡＣ０及びＩＰアドレスＩＰ０を用いて第２の対向装置４−２を経由して主信号通信を行う。
【００４７】
第１の実施形態と同様に、第１及び第２のメディア制御装置２−１及び２−２の系が切り替わっても物理ＭＡＣアドレスＭＡＣ１、ＭＡＣ２はそれぞれの装置に保持されており、対応する対向装置４−１、４−２の障害監視（障害から復旧した後の確認を含む）を継続して行う。
【００４８】
（Ｂ−３）第２の実施形態の効果
以上のように、第２の実施形態によれば、セッションボーダーコントローラ１Ｘの内部構成は第１の実施形態と同様であり、対向装置が２台でも、各メディア制御装置２−１、２−２が対応する対向装置４−１、４−２の障害監視を行い、それぞれの対向装置経由で主信号通信を行うようにしたので、第１及び第２のメディア制御装置２−１及び２−２の系が切り替わっても切断されることなく主信号通信を行うことができる。
【００４９】
（Ｃ）他の実施形態
上記各実施形態では、冗長構成のメディア制御装置に本発明を適用した例を説明したが、ネットワークに接続している冗長構成の通信装置に対して本発明を広く適用でき、その通信装置に対する対向装置の障害を監視することができる。
【００５０】
上記各実施形態では、２重系の冗長構成を示したが、他の冗長構成であっても本発明を適用することができる。例えば、運用系が１つに待機系が２つの３重系に対しても、本発明を適用することができる。
【符号の説明】
【００５１】
１、１Ｘ…セッションボーダーコントローラ、２−１、２−２…メディア制御装置、３Ａ…運用系装置管理部、３Ｓ…待機系装置管理部、４、４−１、４−２…対向装置。
【図１】
0005447079.tif 000002
【図２】
0005447079.tif 000003
【図３】
0005447079.tif 000004
【図４】
0005447079.tif 000005
【図５】
0005447079.tif 000006